(57)【要約】【課題】商品の種類や陳列数の変更等に対応可能な陳列装置を提供する。【解決手段】正面の雛壇部２、背板部３及び底板部４を有する外側構造体Ｂと、同じく雛壇部２、背板部３及び底板部４を有して断面形状が外側構造体Ｂと相似形である内側構造体Ｃと、左右両側の側板部５を備えると共に、外側構造体Ｂの雛壇部２と背板部３と底板部４の間に、内側構造体Ｃを摺動可能に挿設した陳列装置Ａとしたことで、全体を伸長又は縮小させて装置左右方向の長さを任意に選択することができるようになり、商品の種類や陳列数の変更などに速やかに対応し得る。【選択図】図１
2010252950.tif 000002
【特許請求の範囲】
【請求項１】
正面の雛壇部、背板部及び底板部を有する外側構造体と、同じく雛壇部、背板部及び底板部を有して断面形状が外側構造体と相似形である内側構造体と、左右両側の側板部を備えると共に、外側構造体の雛壇部と背板部と底板部の間に、内側構造体を摺動可能に挿設したことを特徴とする陳列装置。
【請求項２】
内側構造体が、摺動方向を長手方向とするガイド溝を備えると共に、外側構造体が、ガイド溝に対して摺動自在に係合するガイドピンを備えていることを特徴とする請求項１に記載の陳列装置。
【請求項３】
外側構造体及び内側構造体が、雛壇部と背板部と底板部を折り曲げ自在に連続させた一枚の構造体素材から成り、この構造体素材を折り曲げて形成してあることを特徴とする請求項１又は２に記載の陳列装置。
【請求項４】
側板部が、背板部の垂直方向の辺及び底板部の奥行方向の辺を二辺とする三角形状であって、これら二辺の交点と斜辺の中央とを結ぶ線に沿って装置外側へ山折り自在であることを特徴とする請求項３に記載の陳列装置。
【請求項５】
側板部が、装置内外の両面を折り曲げ自在に連続させた一枚の側板部素材から成り、この側板部素材を折り曲げて形成してあると共に、前記構造体素材及び側板部素材が、段ボール製であることを特徴とする請求項３又は４に記載の陳列装置。
【請求項６】
外側構造体が、雛壇部と背板部を接合する複数の止着具と、雛壇部と底板部を接合する複数の止着具を備え、一部の止着具がガイド溝に係合するガイドピンを兼用していることを特徴とする請求項５に記載の陳列装置。
【発明の詳細な説明】
【技術分野】
【０００１】
本発明は、店舗などにおいて商品を陳列するのに用いる陳列装置に関し、より具体的には、ＰＯＰ製品として必要に応じて容易に設置し得る陳列装置に関するものである。
【背景技術】
【０００２】
この種の陳列装置としては、例えば特許文献１に記載されているように、展開した状態において底板部、背板部、数段の階段部、及び側板部を一体的に備え、これらを折り曲げることによりワンタッチで組み立て可能としたものがあった。
【先行技術文献】
【特許文献】
【０００３】
【特許文献１】特開２０００−１０３４２５号公報
【発明の概要】
【発明が解決しようとする課題】
【０００４】
ところで、上記の陳列装置を含むＰＯＰ製品は、店舗等において商品類をアピールし、消費者の購買意欲を喚起させるものであるから、販売状況や展示形態などに柔軟に対応できることがより望ましい。
【０００５】
しかしながら、上記したような従来の陳列装置にあっては、例えば、販売が好調となって売り場面積の拡大を図ろうとしても、単一の装置で対応することが困難であるという問題点があり、このような問題点を解決することが課題であった。
【０００６】
本発明は、上記従来の課題に着目して成されたもので、商品の種類や陳列数の変更などに速やかに対応することができる陳列装置を提供することを目的としている。
【課題を解決するための手段】
【０００７】
本発明の陳列装置は、請求項１として、正面の雛壇部、背板部及び底板部を有する外側構造体と、同じく雛壇部、背板部及び底板部を有して断面形状が外側構造体と相似形である内側構造体と、左右両側の側板部を備えると共に、外側構造体の雛壇部と背板部と底板部の間に、内側構造体を摺動可能に挿設した構成としており、上記構成をもって従来の課題を解決するための手段としている。
【０００８】
さらに、本発明に係わる陳列装置は、請求項２として、内側構造体が、摺動方向を長手方向とするガイド溝を備えると共に、外側構造体が、ガイド溝に対して摺動自在に係合するガイドピンを備えていることを特徴とし、請求項３として、外側構造体及び内側構造体が、雛壇部と背板部と底板部を折り曲げ自在に連続させた一枚の構造体素材から成り、この構造体素材を折り曲げて形成してあることを特徴とし、請求項４として、側板部が、背板部の垂直方向の辺及び底板部の奥行方向の辺を二辺とする三角形状であって、これら二辺の交点と斜辺の中央とを結ぶ線に沿って装置外側へ山折り自在であることを特徴とし、請求項５として、側板部が、装置内外の両面を折り曲げ自在に連続させた一枚の側板部素材から成り、この側板部素材を折り曲げて形成してあると共に、前記構造体素材及び側板部素材が、段ボール製であることを特徴とし、請求項６として、外側構造体が、雛壇部と背板部を接合する複数の止着具と、雛壇部と底板部を接合する複数の止着具を備え、一部の止着具がガイド溝に係合するガイドピンを兼用していることを特徴としている。
【発明の効果】
【０００９】
本発明の請求項１に係わる陳列装置は、外側構造体と内側構造体を互いに摺動させて全体を伸長又は縮小させることで、装置左右方向の長さを任意に選択することができ、これにより商品の種類や陳列数の変更などに速やかに対応することができる。
【００１０】
本発明の請求項２に係わる陳列装置は、請求項１と同様の効果を得ることができるうえに、内側構造体のガイド溝と外側構造体のガイドピンとの係合により、互いの摺動動作がより円滑になると共に、両構造体が不用意に外れるような事態を防止することができる。
【００１１】
本発明の請求項３に係わる陳列装置は、請求項１及び２と同様の効果を得ることができるうえに、両構造体を一枚の構造体素材から成るものとすることで、部品点数が少なくなり、製造や組み立てがより容易になる。
【００１２】
本発明の請求項４に係わる陳列装置は、請求項３と同様の効果を得ることができるうえに、装置外側へ山折り自在な側板部を採用したことで、両側板部を突出させ且つ背板部と底板部で全体を挟み込むようにして装置全体を折り畳むことができ、運搬や保管などに容易に対処することができる。
【００１３】
本発明の請求項５に係わる陳列装置は、請求項３及び４と同様の効果を得ることができるうえに、構造体素材及び側板部素材を段ボール製としたことで、製造コストの低減を図ることができると共に、リサイクルにも容易に対応可能である。また、とくに、装置内外の両面を折り曲げ自在に連続させた一枚の側板部素材で側板部を形成することで、装置の外面全体を段ボールの片側の面だけで形成し得ることとなり、片側の面のみに印刷や化粧紙を設けた段ボールを用いて良好な外観体裁を得ることができる。
【００１４】
本発明の請求項６に係わる陳列装置は、請求項５と同様の効果を得ることができるうえに、両構造体及び側板部を段ボール製とし且つ止着具を採用することで、外側構造体の雛壇部の浮き上がりを防止して、同構造体の形態を維持することができると共に、止着具とガイドピンを兼用することで、部品点数や製造コストのさらなる削減を実現する。
【図面の簡単な説明】
【００１５】
【図１】本発明の陳列装置の一実施形態を説明する伸長状態の斜視図（ａ）、縮小状態の斜視図（ｂ）及び折り畳み状態の斜視図（ｃ）である。
【図２】図１に示す陳列装置の組み立て要領を説明する分解斜視図である。
【図３】図１に示す陳列装置の各々展開図（ａ）〜（ｄ）である。
【発明を実施するための形態】
【００１６】
図１に示す陳列装置Ａは、正面の雛壇部２、背板部３及び底板部４を有する外側構造体Ｂと、同じく雛壇部２、背板部３及び底板部４を有して断面形状が外側構造体Ｂと相似形である内側構造体Ｃと、左右両側の側板部５，５を備えている。そして、陳列装置Ａは、外側構造体Ｂの雛壇部２と背板部３と底板部４の間に、内側構造体Ｃを摺動可能に挿設した構造になっている。
【００１７】
上記の陳列装置Ａにおいて、両構造体Ｂ，Ｃの雛壇部２は、いずれも上下二段になっていて、より具体的には、上段垂直板２Ａ、上段水平板２Ｂ、下段垂直板２Ｃ及び下段水平板２Ｄを備えている。
【００１８】
また、本発明の陳列装置Ａは、各部の寸法関係がとくに限定されるものではないが、この実施形態では、背板部３の高さ寸法と底板部４の奥行方向の寸法とがほぼ等しいと共に、雛壇部２においては、各垂直板２Ａ，２Ｃの高さ寸法と各水平板２Ｂ，２Ｄの奥行方向の寸法とがほぼ等しくなっている。これにより、側板部５は、背板部３の垂直方向の辺、底板部４の奥行方向の辺、及び正面側の斜辺を有する直角二等辺三角形である。
【００１９】
さらに、この実施形態の陳列装置Ａは、図３に示すように、両構造体Ｂ，Ｃ及び両側板部５が、各部を折り曲げ自在に連続させた一枚の構造体素材Ｂｍ，Ｃｍ及び側板部素材５ｍから成るものであり、これらの素材Ｂｍ，Ｃｍ，５ｍがいずれも段ボール製である。
【００２０】
外側構造体Ｂの構造体素材Ｂｍは、図３（ｃ）に示すように、図示で上側から、底板部４、山折り線Ｌｍ、背板部３、山折り線Ｌｍ、雛壇部２の上段垂直板２Ａ、谷折り線Ｌｖ、上段水平板２Ｂ、山折り線Ｌｍ、下段垂直板２Ｃ、谷折り線Ｌｖ、下段水平板２Ｄ、山折り線Ｌｍ、及びのりしろに相当する接合片６を有すると共に、下段垂直板２Ｃの端部に、側板部５を連結するための連結片７を有している。
【００２１】
また、外側構造体Ｂの構造体素材Ｂｍは、底板部４と下段水平板２Ｄの両端部近傍に、組み立て状態で互いに連通する通し孔８を有すると共に、背板部３と上段垂直板２Ａの両端部近傍に、組み立て状態で互いに連通する通し孔８を有し、さらに、連結片７にも通し孔８を有している。
【００２２】
他方、内側構造体Ｃの構造体素材Ｃｍは、図３（ｂ）に示すように、図示で上側から、雛壇部２の下段水平板２Ｄ、山折り線Ｌｍ、底板部４、山折り線Ｌｍ、背板部３、山折り線Ｌｍ、上段垂直板２Ａ、谷折り線Ｌｖ、上段水平板２Ｂ、山折り線Ｌｍ、下段垂直板２Ｃ、山折り線Ｌｍ、及びのりしろに相当する接合片６を有すると共に、下段垂直板２Ｃの端部に、側板部５を連結するための連結片７を有している。この連結片７にも通し孔８が設けてある。
【００２３】
また、内側構造体Ｂの構造体素材Ｃｍは、下段水平板２Ｄと底板部４に、組み立て状態で互いに連通するガイド溝（スリット）９を有すると共に、背板部３と上段垂直板２Ａに、組み立て状態で互いに連通するガイド溝９を有している。これらのガイド溝９は、両構造体Ｂ，Ｃの摺動方向すなわち装置左右方向を長手方向にして形成してある。
【００２４】
ここで、上記のガイド溝９は、先述した外側構造体Ｂの通し孔８のうちの、内側構造体挿設側（図３中左側）の通し孔８と連通する。すなわち、当該装置を組み立てた状態において、内側構造体Ｃの上段垂直板２Ａのガイド溝９と外側構造体Ｂの上段垂直板２Ａの通し孔８とが互いに連通し、内側構造体Ｃの下段水平板２Ｄのガイド溝９と外側構造体Ｂの下段水平板２Ｄの通し孔８とが互いに連通する。
【００２５】
側板部５の側板部素材５ｍは、図３（ａ）及び（ｄ）に示すように、概略正方形であって、対角線上の山折り線Ｌｍの一方側を装置内側面５ａ、他方側を装置外側面５ｂとし、装置内側面５ａの等しい二辺に、構造体Ｂ，Ｃの背板部３及び底板部４への連結片１０，１０を有している。
【００２６】
また、側板部素材５ｍは、装置内側面５ａの中心線（二等辺の交点と斜辺の中心点とを結ぶ線）上に谷折り線Ｌｖを有すると共に、装置外側面５ｂの中心線上に山折り線Ｌｍを有している。これにより、側板部素材５ｍを折り曲げて成る側板部５は、装置組み立て状態において、装置外側へ山折り自在である。さらに、側板部素材５ｍは、装置内側面５ａ及び装置外側面５ｂに、折り曲げ状態で互いに連通する通し孔８が設けてある。この通し孔８は、装置組み立て状態で構造体Ｂ，Ｃの連結片７の通し孔８に連通する。
【００２７】
上記構成を備えた陳列装置Ａは、以下の要領で組み立てる。
外側構造体Ｂは、構造体素材Ｂｍを山折り線Ｌｍ及び谷折り線Ｌｖで夫々折り曲げて、図２に示すように、接着剤で接合片６を底板部４に接着し、側板部５側（図２中で右側）となる上下の通し孔８に止着具１１を設けて、上段垂直板２Ａと背板部３とを接合すると共に、下段水平板２Ｄと底板部４とを接合する。
【００２８】
ここで、止着具１１は、プラスチック製のボルト１１ａ及びナット１１ｂである。このボルト１１ａ及びナット１１ｂは、当然、回転により互いに着脱可能であるが、軸線方向の寸法が短く、加圧により強制的に螺合状態にすることができる。したがって、工具類を使用せずに手作業で止着することができる。
【００２９】
また、一方の側板部５は、側板部素材５ｍを装置内側面５ａと装置外側面５ｂとが重合するように折り曲げて接着剤で接着し、次いで、連結片１０，１０を背板部３及び底板部４の内側に夫々接着する。その後、止着具１１により、外側構造体Ｂの連結片７と側板部５とを接合する。
【００３０】
内側構造体Ｃは、外側と同様に、構造体素材Ｂｍを山折り線Ｌｍ及び谷折り線Ｌｖで夫々折り曲げて、図２に示すように、接着剤で接合片６を底板部４に接着する。そして、他方の側板部５を上述の要領で組み立てた後、側板部５の連結片１０，１０を背板部３及び底板部４の内側に夫々接着し、その後、止着具１１により、内側構造体Ｂの連結片７と側板部５とを接合する。
【００３１】
次に、上記の如く組み立てた外側構造体Ｂの雛壇部２、背板部３及び底板部４の間に、内側構造体Ｃを挿設し、その後、外側構造体Ｂの反側板部側（図２中で左側）となる上下の通し孔８及びガイド溝９に止着具１１を設ける。本発明の陳列装置Ａは、内側構造体Ｃが、摺動方向を長手方向とするガイド溝９を備えると共に、外側構造体Ｂが、ガイド溝９に対して摺動自在に係合するガイドピンを備えたものとなっており、この実施形態においては、止着具１１が上記ガイドピンを兼用している。
【００３２】
以上のように、陳列装置Ａは、両構造体Ｂ，Ｃ及び側板部５を夫々折り畳み自在な一枚の素材Ｂｍ，Ｃｍ，５ｍから成るものとすることで、部品点数が少なく、手作業で簡単に組み立てることができると共に、両構造体Ｂ，Ｃを互いに摺動させることによって、ガイド溝９の長さ範囲で伸縮させることができる。すなわち、図１（ａ）に示す伸長状態から図１（ｂ）に示す縮小状態の間で、装置左右方向の長さを任意に選択することができ、例えば、商品の種類や陳列数の変更などに速やかに対応し得るものとなる。
【００３３】
また、陳列装置Ａは、両側の側板部５，５が、背板部３側の辺と底板部４側の辺の交点と、斜辺の中央とを結ぶ線に沿って装置外側へ山折りすることができるので、各構造体Ｂ，Ｃの連結片７との間に設けた止着具１１を取り外すと、図１（ｃ）に示すように、背板部３と底板部４を重合するように折り畳むことができ、運搬や保管に非常に便利である。
【００３４】
さらに、陳列装置Ａは、内側構造体Ｃのガイド溝９と外側構造体Ｂのガイドピン（止着具１１）との係合により、互いの摺動動作がより円滑であって、両構造体Ｂ，Ｃが不用意に外れることもない。また、ガイドピンと止着具１１を兼用することで、部品点数や製造コストのさらなる削減を図ることができる。
【００３５】
さらに、陳列装置Ａは、段ボール以外の材料を使用することも当然可能であるが、段ボールを用いれば、製造コストのさらなる低減を図ることができるうえに、リサイクルにも容易に対処し得ることとなる。
【００３６】
さらに、陳列装置Ａは、構造体素材Ｂｍ，Ｃｍと側板部素材５ｍとを一体化させることも可能である。しかし、上述の如く段ボールを用いた場合には、構造体素材Ｂｍ，Ｃｍと側板部素材５ｍとを別体にし、とくに、側板部素材５ｍとして、を装置内外の両面５ａ，５ｂを折り曲げ自在に連続させたものを採用することで、装置の外面全体を段ボールの片側の面だけで形成することができる。したがって、片側の面のみに印刷や化粧紙を設けた段ボールを用いれば、その印刷や化粧紙の面で装置外面を形成して、良好な外観体裁を得ることができる。
【００３７】
本発明の陳列装置は、その構成が上記実施形態のみに限定されるものではなく、各部の形態や雛壇部の段数などを適宜変更することができる。また、上記実施形態では、組み立ての際に接着剤を使用する場合を例示したが、例えば、互いに係合する突片とスリットを設けて、接着剤を使用せずに接合する構造でも良い。さらに、上記実施形態では、一つの外側構造体を備えた構成を例示したが、二つの外側構造体を備えると共に、両外側構造体の雛壇部と背板部と底板部の間に内側構造体を挿設した構成にすることもできる。
【符号の説明】
【００３８】
Ａ      陳列装置
Ｂ      外側構造体
Ｂｍ    構造体素材
Ｃ      内側構造体
Ｃｍ    構造体素材
２      雛壇部
３      背板部
４      底板部
５      側板部
５ｍ    側板部素材
９      ガイド溝
１１    止着具（ガイドピン）
【図１】
2010252950.tif 000003
【図２】
2010252950.tif 000004
【図３】
2010252950.tif 000005